(57)【特許請求の範囲】
【請求項１】
吸気口、及びこの吸気口に連通する逆止弁付吸気通路を備えた下部材と、この下部材に対峙して設置され、かつ前記吸気通路と整合する逆止弁付通気通路、及びこの通気通路に連通する排気口を備えた上部材を、伸縮材で囲繞するとともに、この伸縮材の上部開口及び／又は下部開口に膨出部を形成し、この上部材及び／又は伸縮材のスムーズ、かつ確実な動きを図る構造とし、また前記上部材が、前記下部材から離間した状態で、この離間した空間と、この空間を囲繞する前記伸縮材を介して、空間部を形成し、前記上下部材を、平板形状のベース部と、このベース部に設けた錐体とで構成し、この上下部材の錐体の各先端対峙面が、整合可能とすることを特徴とした手動ポンプ。
【発明の詳細な説明】
【技術分野】
【０００１】
本発明は、人の力により空気等を排出する手動ポンプの構造に関する。
【背景技術】
【０００２】
従来、手動ポンプに関する考案、又は発明としては、先行文献１の実開平７−８５７５「フートポンプ」がある。この考案は、下部材に枢支された台形部を備えた移動可能な上部材を設け、この上部材の台形部には、外部に連通する吸気及び／又は排気口を設け、この給排気口を、前記台形部に設けた空間部（チャンバー）に連通するとともに、少なくとも、この吸気口に、逆止弁を付設し、この上部材に左右の脚を載せ、この左右の脚を踏み込むことで、空間部内に外気を吸込み、この吸込んだ空気を、前記排気口を介して、必要とする箇所に送風する構造である。
【０００３】
また、特開２００３−２８６９６０「エアー噴出装置及びこの装置を利用した発電装置並びにこの発電装置を利用した監視装置」がある。この発明は、上下に伸縮可能なゴム素材等で形成した蛇腹状のエアーポンプと、エアーポンプの下端部にパイプを連設する構造であって、この、エアーポンプに荷重を加えて圧縮し、パイプの先端部に設けたノズルからエアーを排出する構成であり、ノズルにノズル開口調整手段を付設し、エアーの供出量を調整することで、利用目的に対応する噴射圧が得られるように調整することを意図する。
【０００４】
さらに、特開昭５０−１４４１１４号「弾性体を空気圧縮部の外部に設けた空気圧縮装置」がある。この発明は、対の枠体を、枢支部を介して、可動自在とし、またこの枠体間に蛇腹部を介設し、この蛇腹部には、それぞれ逆止弁を備えた吸気口と排気口を設け、この対の枠体間で、かつ自由端側には、復帰用のスプリングを付設する構造であり、足踏み作用で、蛇腹部を拡縮して、外気の吸込と、その排気とを介して、必要とする箇所に送風する構造である。
【０００５】
【特許文献１】実関平７−８５７５号
【特許文献２】特開２００３−２８６９６０
【特許文献３】特開昭５０−１４４１１４号
【発明の開示】
【発明が解決しようとする課題】
【０００６】
先行文献１は、下部材に枢支して上部材を設け、上部材の台形部に外部に連通する吸気及び／又は排気口を設け、給排気口を、台形部に設けた空間部に連通し、上部材に左右の脚を載せ、左右の脚を踏み込むことで、空間部内に外気を吸込み、排気する構造である。従って、本発明が意図する上下部材の垂直方向（鉛直方向）への移動（可動）によって、この上下部材の離間で形成される空間と、伸縮材とで構成される空間部を介して、外気を吸込み、この吸込んだ空気を排気する構造とは、構成と、その機構が相違する。
【０００７】
また、先行文献２は、ノズルにエアーの供出量を調整するノズル開口調整手段を付設することで、利用目的に対応する噴射圧が得ることを意図する。従って、前述した構造を採用する本発明とは、構成と、その機構が相違する。
【０００８】
さらに先行文献３は、係止部に空気を排出する空気排出部及び空気を吸入する吸気孔部が設けられているため、足により係止部を押圧して空気を圧入する場合は、空気排出部及び吸気孔部が邪魔となる場合があり、操作性に問題が生じる虞がある。またこの先行文献３の構造と、前述した構造を採用する本発明とは、構成と、その機構が相違する。
【課題を解決するための手段】
【０００９】
請求項１の発明は、鼓形を呈する伸縮材のスムーズな伸縮と、その形状の特異性を利用し、空間部に外気の吸気（導入）と、排気（排出）を行い、ポンプとしての機能と、伸縮疲労（故障）の減少と耐久性の確保を図ること、また、この鼓形の伸縮材の形状確保を、対峙する上下部材で、かつこの上下部材を、錐体（角錐体、円錐体）形状及び／又は倒錐体（倒角錐体、倒円錐体）形状とすることで、達成すること等を意図する。またこの請求項１の発明は、外気の吸排気を、鼓形の伸縮材の動作によって行うことで、騒音の発生と、伸縮疲労（故障）の減少と耐久性の確保を図ること、又はスムーズな復帰を確保すること等を意図する。さらに、最適な上下部材［錐体形状及び／又は倒錐体形状］の構造を提供できること等の特徴を有する。
【００１０】
請求項１は、吸気口、及びこの吸気口に連通する逆止弁付吸気通路を備えた下部材と、この下部材に対峙して設置され、かつ前記吸気通路と整合する逆止弁付通気通路、及びこの通気通路に連通する排気口を備えた上部材を、伸縮材で囲繞するとともに、この伸縮材の上部開口及び／又は下部開口に膨出部を形成し、この上部材及び／又は伸縮材のスムーズ、かつ確実な動きを図る構造とし、また前記上部材が、前記下部材から離間した状態で、この離間した空間と、この空間を囲繞する前記伸縮材を介して、空間部を形成し、前記上下部材を、平板形状のベース部と、このベース部に設けた錐体とで構成し、この上下部材の錐体の各先端対峙面が、整合可能とすることを特徴とした手動ポンプである。
【発明の効果】
【００１１】
請求項１の発明は、吸気口、及びこの吸気口に連通する逆止弁付吸気通路を備えた下部材と、下部材に対峙して設置され、かつ吸気通路と整合する逆止弁付通気通路、及び通気通路に連通する排気口を備えた上部材を、伸縮材で囲繞するとともに、伸縮材の上部開口及び／又は下部開口に膨出部を形成し、上部材及び／又は伸縮材のスムーズ、かつ確実な動きを図る構造とし、また上部材が、下部材から離間した状態で、離間した空間と、空間を囲繞する伸縮材を介して、空間部を形成し、前記上下部材を、平板形状のベース部と、このベース部に設けた錐体とで構成し、この上下部材の錐体の各先端対峙面が、整合可能とすることを特徴とした手動ポンプである。
【００１２】
従って、請求項１は、鼓形を呈する伸縮材のスムーズな伸縮と、その形状の特異性を利用し、空間部に外気の吸気（導入）と、排気（排出）を行い、ポンプとしての機能と、伸縮疲労（故障）の減少と耐久性の確保が図れること、また、この鼓形の伸縮材の形状確保を、対峙する上下部材で、かつこの上下部材を、錐体形状及び／又は倒錐体形状とすることで、達成できること等の特徴を有する。またこの請求項１は、外気の吸排気を、鼓形の伸縮材の動作によって行うことで、騒音の発生と、伸縮疲労（故障）の減少と耐久性の確保が図れること、又はスムーズな復帰を確保できること等の実益を有する。さらに、最適な上下部材［錐体形状及び／又は倒錐体形状］の構造を提供できること等の特徴を有する。
【発明を実施するための最良の形態】
【００１３】
以下、本発明の一例を説明する。
【００１４】
最初に、図面の説明をすると、図１は、本発明の第一実施例を示した空間部の容量を最小とした伸縮材の圧縮した状態を図示した断面図、図２は、図１の空間部の容量を最大とした伸縮材の吸引した状態を図示した断面図、また、図３は、本発明の第一参考例を示した空間部の容量を最小とした伸縮材の圧縮した状態を図示した断面図、図４は、図３の空間部の容量を最大とした伸縮材の吸引した状態を図示した断面図、さらに、図５は、本発明の第二参考例を示した空間部の容量を最小とした伸縮材の圧縮した状態を図示した断面図、図６は、図５の空間部の容量を最大とした伸縮材の吸引した状態を図示した断面図、そして、図７は、本発明の第三参考例を示した空間部の容量を最小とした伸縮材の圧縮した状態を図示した断面図、図８は、図７の空間部の容量を最大とした伸縮材の吸引した状態を図示した断面図である。
【００１５】
次に、本発明の手動ポンプの構成の第一実施例、第一参考例〜第三参考例を説明すると、１は吸気口１００、及びこの吸気口１００に連通する逆止弁２を付設した吸気通路１０１を備えた下部材である。さらに詳述すると、この下部材１は、前記吸気口１００と、この吸気口１００に連通する第一吸気通路１０１ａを備えた板状のべース部１ａと、このべース部１ａに設けた（垂設した）、第二吸気通路１０１ｂを備えた錐体１ｂ（角錐体、円錐体）で構成する。そして、この第一吸気通路１０１ａと第二吸気通路１０１ｂは、接続通路１０１ｃ、並びにチャンバー１０２、及び逆止弁２を介して、接続される。また、ベース部１ａに逆止弁２を設けることで、第二吸気通路１０１ｂに吸入された外気（空気）の逆流を防止する。尚、チャンバー１０２は、前記第一吸気通路１０１ａの一部を構成し、吸気空気を一時的に、貯留する役割と、図示しないが、吸込み空気の塵取りフィルター（清浄空気の確保）の取り付け場所としての役割とを備えている。また、前記錐体１ｂには、この逆止弁２の動きを保証するための広域空間（チャンバー１０２）を形成することが望ましい。
【００１６】
また３は前記吸気通路１０１に整合（連通）する逆止弁５付通気通路３０１、及び排気口３００を備えた上部材である。さらに詳述すると、この上部材３は、前記排気口３００と、この排気口３００に連通する第二通気通路３０１ｂを備えた板状のべース部３ａと、このべース部３ａに設けた（垂下した）、第一通気通路３０１ａを備えた錐体３ｂ（倒角錐体、倒円錐体）で構成する。そして、前記第一通気通路３０１ａと、第二通気通路３０１ｂは、接続通路３０１ｃ、並びにチャンバー３０２、及び逆支弁５を介して連通する。また、この錐体３ｂに開設した、第一通気通路３０１ａの開口部に、逆止弁５を設ける構造であり、第二通気通路３０１ｂに流れた外気（空気）の逆流を防止する。またこの逆止弁５は、第二通気通路３０１ｂから逆流する外気（空気）を遮断する。尚、チャンバー３０２は、前記第二通気通路３０１ｂの一部を構成し、通気空気を一時的に、貯留する構造として利用することも可能である。尚、前記ベース部３ａには、この逆止弁５の動きを保証するための広域空間（チャンバー３０２）としての役割がある。
【００１７】
そして、本発明のポンプ（後述する伸縮材６）の空間部Ｓの容量が最小の状態では、この下部材１の錐体１ｂの頂面（図面の上で、上端面）と、上部材３の錐体３ｂの頂面（図面の下で、下端面）と、でなる各先端対峙面は、整合（接合）するとともに、第二吸気通路１０１ｂの終端開口と、第一通気通路３０１ａの始端開口は、整合（連通）する構造である。これにより、空気の流れのルートが形成される。即ち、吸気口１００→第一吸気通路１０１ａ→（チャンバー１０２→）逆止弁２→第二吸気通路１０１ｂ→（空間部Ｓ→）第一通気通路３０１ａ→（チャンバー３０２→）逆止弁５→第二吸気通路３０１ｂ→排気口３００のルートとなる。
【００１８】
以下、伸縮材６の各実施例を説明すると、この伸縮材６は、前記上下部材３、１を囲繞するゴム、プラスチック等の可撓性部材で構成する略鼓形を呈する伸縮材で、ポンプの主体を構成する。そして、この伸縮材６は、鼓形の本体部６ａと、この本体部６ａの上下部開口６ｄ、６ｅ側に設けた半截ドーナツ形状の膨出部６ｂ、６ｃと、この膨出部６ｂ、６ｃより垂設した環状壁面側に開口した上下部開口６ｄ、６ｅを形成し、この上部開口６ｄを、上部材３の錐体３ｂの基部に固止し、またこの下部開口６ｅを、下部材１の錐体１ｂの基部に固止する。この固止により、当該伸縮材６の上下部開口６ｄ、６ｅが、この上下部材３、１と一体となり、また、本体部６ａが、この上下部材３、１の外周面に僅かな隙間Ａを介して設けられる。尚、本体部６ａの中心部に絞り部６ａ１を設けるが、この絞り部６ａ１は、下部材１の錐体１ｂの頂面と、上部材３の錐体３ｂの頂面と、の各先端対峙面の整合（接合）箇所に設ける。そして、この上下部材３、１の錐体３ｂ、１ｂの基部に、台形状の錐体基端部３ｂ１、１ｂ１を形成し、この錐体基端部３ｂ１、１ｂ１と、錐体３ｂ、１ｂの傾斜面との接続部をＲ面とし、伸縮体６との接触摩擦を緩和し、破損等を回避することが望ましい。
【００１９】
以上の構造である伸縮材６の伸縮と、上下部材３、１との関係を説明すると、先ず、上部材３が、下部材１を基点に上昇することで、この伸縮材６の膨出部６ｂ、６ｃ及び本体部６ａが伸張し、また逆に、上部材３が、下部材１を基点に降下することで、伸縮材６の膨出部６ｂ、６ｃ及び本体部６ａが収縮する構造である。そして、この伸張時に、伸縮材６の膨出部６ｂ、６ｃが萎み、扁平壁面となることで、膨出部６ｂ、６ｃの内面が、上下部材３、１の錐体３ｂ、１ｂの錐体基端部３ｂ１、１ｂ１に添接するとともに、この伸縮体６の本体部６ａが、伸張し、上下部材３、１の錐体３ｂ、１ｂより離間し、空間部Ｓの一部を構成する。
また逆に、この収縮時に、伸縮体６の膨出部６ｂ、６ｃが復帰し、半截ドーナツ形状となることで、上下部材３、１の錐体３ｂ、１ｂの錐体基端部３ｂ１、１ｂ１より離間するとともに、この伸縮体６の本体部６ａが萎み、上下部材３、１の錐体３ｂ、１ｂに僅かの隙間Ａを介して、接近する構成である。
【００２０】
続いて、この伸縮材６の各例を、以下に詳述する。
【００２１】
「１」    図１と、図２に示した、第一実施例では、伸縮材６は、全体の肉厚を厚くする構造であり、肉厚の厚みが、本体部６ａの絞り部６ａ１において、大きく（厚い肉厚Ｘ）、絞り部６ａ１から、上下部開口６ｄ、６ｅに向って、順次、小さく（薄の肉厚Ｙ）形成し、本体部６ａ（伸縮材６）の伸張と、収縮を可能とするとともに、伸縮材６の疲労破損（伸縮疲労）を回避することを意図した構成である。また、この第一実施例では、伸縮材６の反発で行なうが、後述するように、スプリング、スプリング板材等の補助手段を採用することも可能である（以下、同じ）。この伸縮材６の作用で、上部材３を、上昇可能とし、構造の簡略化と、伸縮材６の確実な伸張と収縮を可能とすること、また低圧力でも効果的な排気の送風が可能となり、手動ポンプの圧力の向上が図れること、等の特徴を有する。
【００２２】
「２」    図３と、図４に示した、第一参考例では、伸縮材６は、全体の肉厚を、比較的薄くする構造であり、肉厚は、本体部６ａから、膨出部６ｂ、６ｃ、並びに上下部開口６ｄ、６ｅに向って、ほぼ同じとする。この第一参考例では、伸縮材６の反発で（「１」の実施例に準ずる）、上部材３を、上昇可能とし、構造の簡略化と、伸縮材６のスムーズな伸張と収縮を可能とすること、簡易型の手動ポンプを提供できること、等の有益性を有する。そして、この第一参考例では、伸縮材６が、全体の肉厚を、比較的薄くするので、例えば、伸縮材６の絞り部６ａ１を厚い肉厚Ｘとする。これにより、例えば、絞り部６ａ１の強度の向上と、本体部６ａの復帰の確実化、又は迅速化を図ること、又は伸縮材６の疲労破損を回避すること、等を意図する。その他は、前述の第一実施例に準ずる。
【００２３】
「３」    図５と、図６に示した、第二参考例では、伸縮材６を囲繞するようにスプリング１０を設けた構造であり、このスプリング１０の座面を、上下部材３、１のベース部３ａ、１ａの基部（内面側）に、それぞれ係止する。従って、このスプリング１０は、上部材３の降下、及び伸縮材６の圧縮状態で、収縮する。そして、この収縮したスプリング１０が反発することで、降下した上部材３の上昇と、圧縮した伸縮材６の復帰を司る構造となっている。尚、このスプリング１０は、錐体３ｂ、１ｂの基端側に係止することもできる。さらに、ベース部３ａ、１ａの基部と、錐体３ｂ、１ｂの基部（基端側）に亙って設け、確実な係止（固定）を図ることも可能である。この第二参考例では、構造が、少し複雑となるが、その他は、前述の第一実施例、第一参考例に準ずる。
【００２４】
「４」    図７と、図８に示した、第三参考例では、伸縮材６を囲繞するようにスプリング１０００を複数個利用するものであり、この複数のスプリング１０００を、上下部材３、１のベース部３ａ、１ａの基部等に介設する構造である。そして、この例では、下部材１に固止し、かつ上部材３に貫設した杆体１１と、この杆体１１に昇降自在に設けた板材１２と、この板材１２と上部材３とを連繋する取付体１３とで構成し、この取付体１３と板材１２とは、止め具１５を介して、固定可能とする。また、前記スプリング１０００を杆体１１に套嵌するとともに、スプリング１０００の自由端１０００ａを板材１２に添接する構造とする。この構造により、例えば、上部材３は、杆体１１をガイドとして、盲動することなく上下動する特徴がある。この上部材３及び／又は伸縮体６の上下動による特徴と作用は前述の通りである。そして、この例の特徴としては、止め具１５を外し、板材１２を上下動し、スプリング１０００の強弱を変更することで、上部材３及び伸縮材６の上下動と、空気の吸込み及び／又は排気を調整できる特徴がある。この板材１２を上下動した後に、止め具１５を緊締することで、その位置が固定される。その他は、前述の第一実施例、第一参考例〜第二参考例に準ずる。
【００２５】
「５」    その他の例として、スプリング板材（反発力のある板材）を挿入、又は添接して設けることで、前記スプリング１０、１０００を省略し、構造の簡略化と、小型化、美観の向上等を図ることも可能である。また前述の第一参考例を補完することも可能であり、重宝する。その他は前述の第一実施例、第一参考例〜第三参考例に準ずる。
【００２６】
図中８は止め具で、この止め具８を介して、この伸縮体６の上下部開口６ｄ、６ｅを、上下部材３、１の錐体３ｂ、１ｂの錐体基端部３ｂ１、１ｂ１に固止する。尚、前記膨出部６ｂ、６ｃは、本体部６ａの溜め部としての役割と、上部材３及び／又は伸縮材６のスムーズ、かつ確実な動きと、この伸縮材６による騒音の発生回避と、伸縮疲労（故障）の減少、並びに耐久性の確保が図れる特徴がある。
【００２７】
以上の構造である本発明のポンプの作用を説明すると、図２・４・６・８に示した如く、上部材３が、伸縮材６又はスプリング１０の反発で、上方に位置した（上昇した）状態では、この上部材３の錐体３ｂの頂面と、下部材１の錐体１ｂの頂面が離間し、この離間した空間（上、下部材３、１の錐体３ｂ、１ｂの頂面との空間）と、この離間した空間を囲繞し、かつ伸縮した伸縮体６とで形成される空間部Ｓの容量（容積）が、最大となった状態である。そして、ベース部１ａ、錐体３ｂに設けた逆止弁２、５は原位置にあり、この第一吸気通路１０１ａ、第一通気通路３０１ａは、それぞれ閉塞されている。そこで、上部材３を押圧すると、空間部Ｓに滞留する空気が、第一通気通路３０１ａ［錐体３ｂに設けた逆止弁５が可動し］→（チャンバー３０２）→第二通気通路３０１ｂ→排気口３００のルートで排出される。そして、図１・３・５・７に示した状態は、上部材３が降下し、その上下部材３、１の錐体３ｂ、１ｂの頂面（各先端対峙面）が整合した状態（接触した状態）で、前記隙間Ａは最小であり、その時点で逆止弁５と逆止弁２は静止して原位置にあり、第一吸気通路１０１ａは閉塞される。
【００２８】
その後、上部材３への押圧を解除すると、この上部材３が、伸縮材６又はスプリング１０の反発で、順次、上方に上昇することで、下部材１の吸気口１００より外気（空気）が吸込まれ、この空気は、この吸気口１００→第一吸気通路１０１ａ［ベース部１ａに設けた逆止弁２が可動し］→（チャンバー３０２）→第二吸気通路１０１ｂのルートで吸い込まれ、この吸込まれた空気は、最大となった空間部Ｓに導入される。
【００２９】
その後は、前述の上部材３に対する押圧と、開放を順次、繰返すことで、必要とする空気が、導入かつ送られる構造であって、排気口３００から、図示しない、袋、又は缶、物等の密封機器内に、必要とする空気を充填する（空気が供給する）構造である。
【００３０】
尚、以上は、吸気口１００より、外気（空気）を吸込み、この吸込んだ空気を、排気口３００より排気、又は膨出する一例を説明した。また一方で、減圧の例では、前記袋、又は缶、物等の密封機器から、内部空気を吸込み、この密封機器内を負圧（減圧）、又は圧縮する他の例でも同様である。即ち、加圧の例では、空間部Ｓの容量が最大の時で、伸縮材６、又はスプリング１０、１０００の反発力が弱まった状態から、上部材３を押圧した分だけ加圧できる。また、減圧の例では、空間部Ｓの容量が最小の時で、スプリング１０、１０００が押さえ込まれていた状態から、伸縮材６、又はスプリング１０、１０００の反発力の分だけ減圧ができることになる。
【００３１】
尚、以上の各例は、伸縮材６の伸張時を、最初の状態とし、その後、押圧し、伸縮材６が圧縮された状態を、最終段階として説明した。しかし、この各例に限定されず、例えば、伸縮材６の圧縮された状態を、最初とし、その伸縮材６の伸張時を、最終段階として機能する構造も、本発明の範疇であり、かつ本装置では、このような構造でも作用する。また伸縮材６の圧縮において、膨出部６ｂ、６ｃの復帰を司る手段、例えば、蛇腹構造、形状記憶手段、又はスプリング等の各機構を設けることも可能である。
【図面の簡単な説明】
【００３２】
【図１】図１は、本発明の第一実施例を示した空間部の容量を最小とした伸縮材の圧縮した状態を図示した断面図
【図２】図２は、図１の空間部の容量を最大とした伸縮材の吸引した状態を図示した断面図
【図３】図３は、本発明の第一参考例を示した空間部の容量を最小とした伸縮材の圧縮した状態を図示した断面図
【図４】図４は、図３の空間部の容量を最大とした伸縮材の吸引した状態を図示した断面図
【図５】図５は、本発明の第二参考例を示した空間部の容量を最小とした伸縮材の圧縮した状態を図示した断面図
【図６】図６は、図５の空間部の容量を最大とした伸縮材の吸引した状態を図示した断面図
【図７】図７は、本発明の第三参考例を示した空間部の容量を最小とした伸縮材の圧縮した状態を図示した断面図
【図８】図８は、図７の空間部の容量を最大とした伸縮材の吸引した状態を図示した断面図
【符号の説明】
【００３３】
１                  下部材
１ａ                ベース部
１ｂ                錐体
１ｂ１              錐体基端部
１００              吸気口
１０１              吸気通路
１０１ａ            第一吸気通路
１０１ｂ            第二吸気通路
１０１ｃ            接続通路
１０２              チャンバー
２                  逆止弁
３                  上部材
３ａ                ベース部
３ｂ                錐体
３ｂ１              錐体基端部
３００              排気口
３０１              通気通路
３０１ａ            第一通気通路
３０１ｂ            第二通気通路
３０１ｃ            接続通路
３０２              チャンバー
５                  逆止弁
６                  伸縮材
６ａ                本体部
６ａ１              絞り部
６ｂ                膨出部
６ｃ                膨出部
６ｄ                上部開口
６ｅ                下部開口
８                  止め具
１０                スプリング
１０００            スプリング
１０００ａ          自由端
１１                杆体
１２                板材
１３                取付体
１５                止め具
Ａ                  隙間
Ｓ                  空間部
Ｘ                  厚い肉厚
Ｙ                  薄い肉厚
【要約】
【課題】従来の手動式ポンプは、下部材に枢支して上部材を設け、上部材の台形部に外部に連通する吸気及び／又は排気口を設け、給排気口を、台形部に設けた空間部に連通し、上部材に左右の脚を載せ、左右の脚を踏み込むことで、空間部内に外気を吸込み、排気する構造である。従って、吸気口と通気口を通路で連通し、鼓形の伸縮材を設けて、空気を吸込み、排気する構造ではない。
【構成】本発明は、吸気口、及び逆止弁付吸気通路を備えた下部材と、下部材に対峙して設置し、かつ吸気通路と整合する逆止弁付通気通路、及び排気口を備えた上部材を、伸縮材で囲繞する構造であり、上部材が下部材から離間した状態で、離間した空間と、空間を囲繞する伸縮材を介して、空間部が形成される手動ポンプである。
【選択図】図１【図１】
0004100703.tif 000002
【図２】
0004100703.tif 000003
【図３】
0004100703.tif 000004
【図４】
0004100703.tif 000005
【図５】
0004100703.tif 000006
【図６】
0004100703.tif 000007
【図７】
0004100703.tif 000008
【図８】
0004100703.tif 000009